(57)【要約】【課題】本発明は、発音手段を有する置き台に載置可能な周波数調整手段を有する電子機器であって、周波数調整手段で周波数特性を調整した音声信号を置き台に出力することで、電子機器から発せられる音の音質と置き台から発せられる音の音質との差異を小さくした電子機器を提供することを目的とする。【解決手段】携帯電話機１は、音声データを第１音声信号に変換するデコーダ８２５と、第１音声信号に基づいて所定の音を発するスピーカ８００Ａ、Ｂと、第１音声信号の周波数特性を調整して第２音声信号を出力するイコライザ８３４と、第２音声信号を置き台９００側に出力する音声信号出力端子１９ｃ、１９ｄとを備える。そして、イコライザ８３４は、第２音声信号に基づいて置き台側スピーカ９１０Ａ、Ｂから発せられる音の音質と第１音声信号に基づいてスピーカ８００Ａ、Ｂから発せられる音の音質とが近似するよう第１音声信号の周波数特性を調整する。【選択図】図１１
2008301031.tif 000002
【特許請求の範囲】
【請求項１】
音声信号に基づいて所定の音を発する置き台側発音手段を有する置き台に載置可能な電子機器であって、
音声データを第１音声信号に変換する変換手段と、
前記第１音声信号に基づいて所定の音を発する電子機器側発音手段と、
前記第１音声信号の周波数特性を調整して第２音声信号を出力する周波数調整手段と、
前記第２音声信号を前記置き台側に出力する外部出力手段と、を備え、
前記周波数調整手段は、前記第２音声信号に基づいて前記置き台側発音手段から発せられる音の音質と前記第１音声信号に基づいて前記電子機器側発音手段から発せられる音の音質とが近似するよう前記第１音声信号の周波数特性を調整する電子機器。
【請求項２】
前記周波数調整手段は、前記第２音声信号に基づいて前記置き台側発音手段から発せられる音の音質と前記第１音声信号に基づいて前記電子機器側発音手段から発せられる音の音質とが略同一になるよう前記第１音声信号の周波数特性を調整する
請求項１に記載の電子機器。
【請求項３】
前記周波数調整手段は、前記第１音声信号における低音域の出力を小さくするよう前記第１音声信号の周波数特性を調整する請求項１又は２に記載の電子機器。
【請求項４】
前記外部出力手段により前記置き台側発音手段に前記第２音声信号が出力された後、
前記周波数調整手段は、前記第１音声信号の周波数特性を更に調整して前記第２音声信号とは異なる周波数特性の第３音声信号を出力する請求項１から３のいずれかに記載の電子機器。
【請求項５】
前記周波数調整手段は、前記第２音声信号から前記第３音声信号への変更が段階的又は連続的になるよう前記第１音声信号の周波数特性を調整する請求項４に記載の電子機器。
【請求項６】
周波数特性補正データを記憶する記憶手段を更に備え、
前記周波数調整手段は、前記記憶手段に記憶される前記周波数特性補正データに基づいて、前記第１音声信号の周波数特性を調整する請求項１から５のいずれかに記載の電子機器。
【請求項７】
該電子機器が載置された置き台の種類を識別する識別手段と、を更に備え、
前記記憶手段は、１又は複数種類の置き台に対応した周波数特性補正データを記憶し、
前記識別手段により該電子機器が載置された置き台の種類が識別された場合、
前記周波数調整手段は、前記記憶手段に記憶され前記識別手段により識別される置き台の種類に対応した前記周波数特性補正データに基づいて、前記第１音声信号の周波数特性を調整する請求項６に記載の電子機器。
【請求項８】
該電子機器が前記置き台に載置されたことを検知可能な検知手段を更に備え、
前記検知手段により該電子機器が前記置き台に載置されたことが検知された場合、
前記周波数調整手段は、前記第１音声信号の周波数特性を調整して前記第２音声信号を出力し、
前記電子機器側発音手段は、前記第１音声信号に基づいた音の発生を停止し、
前記外部出力手段は、前記置き台側への前記第２音声信号の出力を開始する請求項１から７のいずれかに記載の電子機器。
【発明の詳細な説明】
【技術分野】
【０００１】
本発明は、携帯電話機等の電子機器に関する。
【背景技術】
【０００２】
近年、電子機器としての携帯電話機を利用して音楽を聴く機会が増えている。例えば、携帯電話機にイヤホーンを接続して音楽を聴くことに加えて、携帯電話機に配置されるスピーカから音を放音させて音楽を聴く機会が増えている。このような携帯電話機には、スピーカから発せられる音の音質を所望の音質に調整することができるイコライザが内蔵されている。また、携帯電話機を携帯した状態で音楽を聴くことに加え、室内で該携帯電話機に収納されるバッテリを充電するための置き台としてのクレードルに載置した状態で音楽を聴く機会も増えている。
【０００３】
ここで、携帯電話機（通信機器本体）から発せられる音を再生する機能を有するクレードル装置が提案されている（例えば、特許文献１）。携帯電話機（通信機器本体）側の再生装置に出力されていた音声信号をクレードル側の再生装置に出力することで、再生を切り替えることができる。この場合において、携帯電話機側におけるスピーカ等の再生装置と、クレードル側におけるスピーカ等の再生装置とはその出力特性が異なるため、再生の切り替え前と切り替え後では異なる音質の音が発せられるという問題があった。
【０００４】
一方、音声信号の周波数特性をイコライザにより調整することで、スピーカから発せられる音の音質を調整する技術が知られている。例えば、近設される他のシートにおける音響出力（音声信号）の影響を考慮しつつシートスピーカごとに適切な音響環境を提供するため、イコライザにより音響信号の周波数特性を調整することを特徴とするシートスピーカシステムが開示されている（例えば、特許文献２参照）。
【特許文献１】特開２００３−３２３５１号公報
【特許文献２】特開２００７−０６５０３８号公報
【発明の開示】
【発明が解決しようとする課題】
【０００５】
ここで、上述のように、再生切り替え前の携帯電話機側におけるスピーカ等の再生装置から発せられる音の音質と、再生切り替え後のクレードル側におけるスピーカ等の再生装置から発せられる音の音質とが異なるため、ユーザ等の聴者に対して違和感を与える場合があった。
【０００６】
本発明は、発音手段を有する置き台に載置可能な周波数調整手段を有する電子機器であって、周波数調整手段で周波数特性を調整した音声信号を置き台に出力することで、電子機器から発せられる音の音質と置き台から発せられる音の音質との差異を小さくした電子機器を提供することを目的とする。
【課題を解決するための手段】
【０００７】
本発明は、音声信号に基づいて所定の音を発する置き台側発音手段を有する置き台に載置可能な電子機器であって、前記音声データを第１音声信号に変換する変換手段と、前記第１音声信号に基づいて所定の音を発する電子機器側発音手段と、前記第１音声信号の周波数特性を調整して第２音声信号を出力する周波数調整手段と、前記第２音声信号を前記置き台側に出力する外部出力手段と、を備え、前記周波数調整手段は、前記第２音声信号に基づいて前記置き台側発音手段から発せられる音の音質と前記第１音声信号に基づいて前記電子機器側発音手段から発せられる音の音質とが近似するよう前記第１音声信号の周波数特性を調整する電子機器に関する。
【０００８】
前記周波数調整手段は、前記第２音声信号に基づいて前記置き台側発音手段から発せられる音の音質と前記第１音声信号に基づいて前記電子機器側発音手段から発せられる音の音質とが略同一になるよう前記第１音声信号の周波数特性を調整することが好ましい。
【０００９】
また、前記周波数調整手段は、前記第１音声信号における低音域の出力を小さくするよう前記第１音声信号の周波数特性を調整することが好ましい。
【００１０】
また、前記外部出力手段により前記置き台側発音手段に前記第２音声信号が出力された後、前記周波数調整手段は、前記第１音声信号の周波数特性を更に調整して前記第２音声信号とは異なる周波数特性の第３音声信号を出力することが好ましい。
【００１１】
また、前記周波数調整手段は、前記第２音声信号から前記第３音声信号への変更が段階的又は連続的経時的になるよう前記第１音声信号の周波数特性を調整することが好ましい。
【００１２】
また、周波数特性補正データを記憶する記憶手段を更に備え、前記周波数調整手段は、前記記憶手段に記憶される前記周波数特性補正データに基づいて、前記第１音声信号の周波数特性を調整することが好ましい。
【００１３】
また、該電子機器が載置された置き台の種類を識別する識別手段と、を更に備え、前記記憶手段は、１又は複数種類の置き台に対応した周波数特性補正データを記憶し、前記識別手段により該電子機器が載置された置き台の種類が識別された場合、前記周波数調整手段は、前記記憶手段に記憶され前記検知手段により識別される置き台の種類に対応した前記周波数特性補正データに基づいて、前記第１音声信号の周波数特性を調整することが好ましい。
【００１４】
また、該電子機器が前記置き台に載置されたことを検知可能な検知手段を更に備え、前記検知手段により該電子機器が前記置き台に載置されたことが検知された場合、前記周波数調整手段は、前記第１音声信号の周波数特性を調整して前記第２音声信号を出力し、前記電子機器側発音手段は、前記第１音声信号に基づいた音の発生を停止し、前記外部出力手段は、前記置き台側への前記第２音声信号の出力を開始することが好ましい。
【発明の効果】
【００１５】
本発明によれば、発音手段を有する置き台に載置可能な周波数調整手段を有する電子機器であって、周波数調整手段で周波数特性を調整した音声信号を置き台に出力することで、電子機器から発せられる音の音質と置き台から発せられる音の音質との差異を小さくした電子機器を提供することができる。
また、本発明によれば、発音手段を有する置き台に載置可能な周波数調整手段を有する電子機器であって、周波数調整手段で周波数特性を調整した音声信号を置き台に出力することで、音の出力が電子機器側から置き台側へ切り替わる際における音質の変化による違和感を抑制する電子機器を提供することができる。
【発明を実施するための最良の形態】
【００１６】
以下、図面を参照して本発明を実施するための最良の形態を説明する。なお、以下、電子機器として携帯電話機について説明するが、本発明の電子機器はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。また、置き台として充電用の置き台について説明するが、本発明の置き台はこれに限定されるものではなく、充電機能を有しないものであってもよい。
【００１７】
図１により、音響システムＳ１における基本構造について説明する。図１は音響システムＳ１の斜視図を示す。
【００１８】
図１に示すように、本実施形態における音響システムＳ１は、電子機器としての携帯電話機１と、充電用の置き台９００とを備える。携帯電話機１は、置き台９００に載置可能である。具体的には、携帯電話機１は、長手方向が水平方向を向くようにして短手方向の側面における一方が置き台９００に当接するようにして載置される。以下に、携帯電話機１及び置き台９００における詳細な構造について説明する。
【００１９】
図２から図４により、電子機器としての携帯電話機１における基本構造を説明する。図２は、携帯電話機１を開いた状態（第１開状態）における正面図を示す。また、図３（Ａ）は、携帯電話機１を開いた状態における左側面図を示し、図３（Ｂ）は、携帯電話機１を開いた状態における右側面図を示す。また、図４は、携帯電話機１を開いた状態における背面図を示す。
【００２０】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００２１】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態であり、開状態における裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００２２】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００２３】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２４】
操作部側筐体２における一方の側面には、図３（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子群１９とが設けられている。なお、インターフェース１６、ヘッドホン端子／マイク端子１７及びインターフェース１８は、不使用時において着脱可能な防塵対策用のキャップで覆われている。また、充電端子群１９は、充電端子１９ａと、グランド端子１９ｂと、外部出力手段としての音声信号出力端子１９ｃ及び１９ｄと、後述するＣＰＵ８２１からの制御データを出力する制御データ出力端子１９ｅとにより構成される。ここで、検知手段及び識別手段としてのセンサ８２７により、携帯電話機１が置き台９００に載置されたことが検知されると共に、置き台９００の種類が識別される。
【００２５】
操作部側筐体２における他方の側面には、図３（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２６】
操作部側筐体２のリアケース２ｂには、図４に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、バッテリ収容部９２にバッテリ９０を装着するための開口９２ａが形成されると共に、該開口９２ａを塞ぐようにバッテリリッド２５が配置される。
【００２７】
また、操作部側筐体２の上端部と表示部側筐体３の下端部とは、図２から図４に示すように、２軸ヒンジ機構を備える連結部４を介して連結される。連結部４における一方の面（裏面）には、図４に示すように、副操作キー群３３が該携帯電話機１の幅方向（短手方向）において一列に並んで配置される。副操作キー群３３は、第１キー３３ａと、第２キー３３ｂと、第３キー３３ｃとにより構成される。第２キーは、第１部３３ｂｘと、第２部３３ｂｙとを有する。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。例えば、音楽再生モードである場合には、副操作キー群を構成する各キーは、楽曲選定のための順送りキーや逆送りキーとして機能し、楽曲が再生された状態では早送りや巻き戻しキーとして機能する。具体的な割り当ては、第１キー３３ａには再生、第２キー３３ｂには順送り（第１部３３ｂｘ）及び逆送り（第２部３３ｂｙ）、第３キー３３ｃには停止の機能が割り当てられる。楽曲が再生された状態では、第１キー３３ａは再生（停止状態からの再開を含む）、第２キーは早送り（第１部３３ｂｘ）及び巻き戻し（第２部３３ｂｙ）、第３キーは停止の機能が割り当てられる。
【００２８】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力する音声出力部３１とが露出するように配置される。ディスプレイ３０には、各種文字情報のほか、ＴＶ画像や写真画像等の画像情報が表示される。ここで、音声出力部３１は、表示部側筐体３の長手方向における連結部４とは反対の外端部側に配置される。つまり、音声出力部３１は、携帯電話機１が開状態において他方の端部側に配置される。
【００２９】
また、表示部側筐体３のリアケース３ｂには、各種情報を表示するためのサブディスプレイ３２が露出して配置される。サブディスプレイ３２には、主に楽曲情報等の文字情報が表示される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００３０】
次いで、図５から図７により、連結部４の構造及び携帯電話機１における変形状態について説明する。図５は、図１に示される状態から携帯電話機１の表示部側筐体３を連結部４の開閉軸Ｘを中心に折り畳んだ状態における正面図を示す。図６は、図１に示される状態から携帯電話機１の表示部側筐体３を、連結部４の回動軸Ｙを中心にして所定角度回動した状態の斜視図を示す。図７は、図５に示される状態から表示部側筐体３を回動軸Ｙを中心に１８０度回転させた状態の斜視図を示す。
【００３１】
連結部４は、一方端４ａ側において開閉連結部材により操作部側筐体２の上端部と連結されており、他方端４ｂ側において回動連結部材により表示部側筐体３の下端部と連結されている。
【００３２】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００３３】
この開閉部４ｃの開閉軸Ｘ方向における両側それぞれには、孔部Ａが形成される。また、操作部側筐体２の切り欠き部５における両内側面には、孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。ここで、円筒状の開閉部材における一方は、操作部側筐体２内部からの配線が挿通可能に中空状に形成される。
【００３４】
なお、開閉部４ｃは、操作部側筐体２の上端部に挿嵌される形状であればよく、特に凸形状に限られず、また、操作部側筐体２の上端部の形状も凹形状に限られない。
【００３５】
また、連結部４の他方端４ｂ側と表示部側筐体３の下端部とは、回動連結部材により回動自在に連結される。連結部４における表示部側筐体３側の側面には、孔部Ｃが形成される。また、表示部側筐体３における連結部４側の側面には、孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００３６】
携帯電話機１は、上述したように、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３７】
例えば、図５に示す操作部側筐体２と表示部側筐体３とが互いに重なる状態である閉状態（第１閉状態）の携帯電話機１を、操作部側筐体２及び表示部側筐体３それぞれにおける開閉軸Ｘと反対側の端部が、互いに離間するよう開閉軸Ｘを中心にして開くように変形させることで、図２から図４に示す操作部側筐体２と表示部側筐体３とが互いに重ならない開状態（第１開状態）にすることができる。
【００３８】
逆に、開状態（第１開状態）の携帯電話機１を、操作部側筐体２及び表示部側筐体３それぞれの開閉軸Ｘと反対側の端部が、互いに近づくよう開閉軸Ｘを中心にして閉じるように変形させることで、図５に示す閉状態（第１閉状態）にすることができる。
【００３９】
また、図６に示すように、表示部側筐体３を、回動軸Ｙを中心に回動させることができる。更には、表示部側筐体３を図６の状態から更に回動軸Ｙを中心に回転させることで、表示部側筐体３における表裏状態を切り替えることができる。具体的には、図２から図４に示す表示部側筐体３における表面３Ａに配置されるディスプレイ３０と、操作部側筐体２における表面２Ａに配置される操作キー群１１とが同じ側を向く開状態（第１開状態）から、表示部側筐体３が回動軸Ｙを中心に１８０度回転されることで、表示部側筐体３における表面３Ａに配置されるディスプレイ３０と、操作部側筐体２における表面２Ａに配置される操作キー群とが反対側を向く開状態（第２開状態）にすることができる。
【００４０】
そして、第２開状態における表示部側筐体３を開閉軸Ｘを中心にして閉じるよう変形させることで、携帯電話機１を図７に示す閉状態（第２閉状態）にすることができる。つまり、携帯電話機１は、図５に示す表示部側筐体３におけるディスプレイ３０が、操作部側筐体２における操作キー群１１に対向するよう配置された閉状態（第１閉状態）から、図７に示す表示部側筐体３におけるディスプレイ３０が、操作部側筐体２に対向せずに表出した状態である閉状態（第２閉状態、ターンクローズ状態）に変形させることができる。
【００４１】
ここで、図４から図７に示すように、連結部４には、携帯電話機１（電子機器）側発音手段としての第１スピーカ８００Ａと第２スピーカ８００Ｂとが収納配置される。第１スピーカ８００Ａ及び第２スピーカ８００Ｂは、連結部４における携帯電話機１の幅方向における両側にそれぞれ収納配置される。
【００４２】
そして、連結部４の前記幅方向における側面であって、第１スピーカ８００Ａ側の側面には第１スピーカ孔８１０Ａが形成され、第２スピーカ８００Ｂ側の側面には第２スピーカ孔８１０Ｂが形成される。第１スピーカ孔８１０Ａは、第１スピーカ８００Ａからの音を外部に放音させ、第２スピーカ孔８１０Ｂは、第２スピーカ８００Ｂからの音を外部に放音させる。
【００４３】
この第１スピーカ８００Ａ及び第２スピーカ８００Ｂそれぞれから異なる２つの音声チャンネルの音を再生することでステレオフォニック再生が可能である。この場合、携帯電話機１は、図２及び図５に示すように、長手方向が垂直方向と平行になるよう配置（縦にして）して第１スピーカ８００Ａ及び第２スピーカ８００Ｂそれぞれから異なる２つの音声チャンネルの音を再生させる。つまり、携帯電話機１を第１スピーカ８００Ａと第２スピーカ８００Ｂとが水平方向に並ぶように配置してステレオフォニック再生する。
【００４４】
ここで、第１スピーカ８００Ａ及び第２スピーカ８００Ｂそれぞれは、後述するメモリ８２３から出力される音声データが変換手段としてのデコーダ８２５により複合された音声信号に基づいて所定の音を発する。第１スピーカ８００Ａ及び第２スピーカ８００Ｂからの放音状態は、ＣＰＵ８２１により制御される。
【００４５】
なお、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００４６】
続いて、図８及び図９により、操作部側筐体２及び連結部４の内部構造について説明する。図８は、操作部側筐体２の分解斜視図を示す。また、図９は、表示部側筐体３及び連結部４の部分分解図を示す。
【００４７】
操作部側筐体２は、図８に示すように、フロントケース２ａと、上述した操作キー群１１を構成するキーシート４０と、キースイッチが配置されるフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、アンテナ部８０と、リアケース２ｂと、を備える。また、バッテリ９０は、リアケース２ｂの外側から装脱可能に収容される。
【００４８】
フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０とが、フロントケース２ａ側からこの順番で収納配置される。
【００４９】
回路基板７０における第１の面７２には、図示しない各種電子部品及び基準電位パターン層が形成される。また、回路基板７０における第２の面７３には、各種電子部品が配置される。具体的には、第２の面７３には、図示しないカメラ部２３やライト部２４が連結部４側の端部に偏って配置されると共に、図示しない音声入力部１２が連結部４側の端部に偏って配置される。なお、カメラ部２３やライト部２４は、リアケース２ｂに所定の形状で穿孔されている穿孔部２ｃを介して外部に露出される。更に、回路基板７０には、後述するＣＰＵ８２１、メモリ８２３、センサ８２７等が実装される。
【００５０】
シールドケース６０は、薄型の直方体における一の広い面が開口した形状を有する金属製の部材である。シールドケース６０は、平板部４２と、平板部４２における一方の面に略垂直に形成されるリブ４４とを有する。リブ４４は、回路基板７０における第１の面７２に実装される各種電子部品のうち最も高さのある電子部品の高さと同等又はそれよりも十分に高くなるよう形成される。なお、シールドケース６０は、金属により形成する以外に、骨格を樹脂により形成し、その表面に金属性の導体膜を形成したものでもよい。
【００５１】
ここで、リブ４４は、平板部４２の周縁及び内側に上述した基準電位パターン層に対応するよう形成される。具体的には、基準電位パターン層が形成される第１の面７２と、シールドケース６０におけるリブ４４が形成される面である裏面とが向かい合うようにして配置された場合において、リブ４４の底面が基準電位パターン層上に配置されるよう形成される。
【００５２】
シールドケース６０は、リブ４４（底面）により、回路基板７０における第１の面７２に形成される基準電位パターン層と導通する。これにより、シールドケース６０は、基準電位パターン層と電気的に導通して同じ大きさの電位を有するようになる。また、シールドケース６０は、外部からのノイズが回路基板７０の第１の面７２に配置される不図示の各種電子部品に作用するのを防ぐと共に、第１の面７２に形成される高周波回路等から放出されるノイズを吸収する。ここで、シールドケース６０と回路基板７０との間に配置される図示しない導通部材を配置することで電気的に導通させてもよい。また、シールドケース６０は、後述する各種キーの押圧操作に対する剛性確保のための補強部材としても機能する。
【００５３】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００５４】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００５５】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００５６】
アンテナ部８０は、基台上に所定形状のアンテナエレメントが配置されることにより構成される。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュール等と接続される。
【００５７】
バッテリ９０は、リアケース２ｂに形成された開口９２ａを介してバッテリ収容部９２に着脱可能に収容される。バッテリ収容部９２は、リアケース２ｂと回路基板７０における第２の面７３の一部とにより形成される。そして、バッテリ９０が収容された状態において、開口９２ａを塞ぐようにバッテリリッド２５を配置することで、バッテリ９０の脱落を抑制することができる。
【００５８】
図９に示すように、連結部４には、第１スピーカ８００Ａと、第２スピーカ８００Ｂとが収納配置される。第１スピーカ８００Ａ及び第２スピーカ８００Ｂは、携帯電話機１における幅方向の両側に配置される。具体的には、第１スピーカ８００Ａ及び第２スピーカ８００Ｂは、第１スピーカ８００Ａと第２スピーカ８００Ｂとをつなぐ第１直線Ｚ１が携帯電話機１における幅方向と平行になるように配置される。
【００５９】
また、第１スピーカ８００Ａ及び第２スピーカ８００Ｂは、所定の配線を介して回路基板７０と接続される。第１スピーカ８００Ａ及び第２スピーカ８００Ｂは、回路基板７０上に実装されるＣＰＵ８２１から制御データの出力を受けると共に、メモリ８２３に記憶された音声データがデコーダ８２５により複合処理されて出力された第１音声信号の出力を受けて所定の音を発する。なお、後述するイコライザ８３４により第１音声信号における周波数特性が調整された音声信号が第２音声信号である。また、イコライザ８３４により第１音声信号における周波数特性が調整され第２音声信号とは異なる音声信号が第３音声信号である。
【００６０】
続けて、図１０により、置き台９００について説明する。図１０は、置き台９００の正面図を示す。
図１０に示すように、置き台９００は、携帯電話機１が載置される載置部９０１と、載置部９０１の底面を構成する載置面９０２から突出するように配置される給電端子群９１１と、載置面９０２から置き台９００の底面９０３に連通し、置き台９００の内部に拡がる空間部９５０と、置き台側発音手段としての第１置き台側スピーカ９１０Ａ及び第２置き台側スピーカ９１０Ｂと、第１置き台側スピーカ孔９２０Ａ及び第２置き台側スピーカ孔９２０Ｂとを備える。また、置き台９００は、不図示のコンセントに連結される充電用のコード９９０を備える。
【００６１】
載置部９０１は、置き台９００の上面９０４から一側面９０５にわたって形成される垂直方向に窪んだ領域であり、携帯電話機１を長手方向が水平方向と平行になるよう横向きにした状態で該携帯電話機１を載置可能な領域である。
【００６２】
給電端子群９１１は、給電端子９１１ａと、グランド端子９１１ｂと、音声信号入力端子９１１ｃ、９１１ｄと、制御データ入力端子９１１ｅとにより構成される。給電端子群９１１は、携帯電話機１が載置された状態で、充電端子群１９と電気的に接続される。具体的には、携帯電話機１が載置された状態で、給電端子９１１ａと充電端子１９ａとが電気的に接続され、グランド端子９１１ｂとグランド端子１９ｂとが電気的に接続され、音声信号入力端子９１１ｃと音声信号出力端子１９ｃとが接続され、音声信号入力端子９１１ｄと音声信号出力端子１９ｄとが接続され、制御データ入力端子９１１ｅと制御データ出力端子１９ｅとが接続される。これにより、給電端子９１１ａから充電端子１９ａを介してバッテリ９０に電力が充電される。また、グランド端子１９ｂとグランド端子９１１ｂとが電気的に導通することで、静電気による悪影響が低減される。また、音声信号出力端子１９ｃから出力された右用の第２音声信号が音声信号入力端子９１１ｃを介して第１置き台側スピーカ９１０Ａに出力される。また、音声信号出力端子１９ｄから出力された左用の第２音声信号が音声信号入力端子９１１ｄを介して第２置き台側スピーカ９１０Ｂに出力される。また、制御データ出力端子１９ｅから出力された制御データが制御データ入力端子９１１ｅを介して置き台９００に出力される。制御データ出力端子１９ｅからは、置き台９００内に配置される不図示の増幅器をＯＮ／ＯＦＦする等の制御信号が置き台９００に出力される。ここで、制御データには、後述する周波数特性補正データとしての第１補正パラメータが含まれる。
【００６３】
第１置き台側スピーカ９１０Ａ及び第２置き台側スピーカ９１０Ｂは、置き台９００の水平方向における両側に互いに離間して配置される。第１置き台側スピーカ９１０Ａ及び第２置き台側スピーカ９１０Ｂは、該第１置き台側スピーカ９１０Ａと第２置き台側スピーカ９１０Ｂとをつなぐ直線ＺＢを後述する平面Ｐに投影した第２直線Ｚ２が水平方向と平行になるよう配置される。
【００６４】
第１置き台側スピーカ孔９２０Ａ及び第２置き台側スピーカ孔９２０Ｂそれぞれは、第１置き台側スピーカ９１０Ａ及び第２置き台側スピーカ９１０Ｂそれぞれの図１２における前側に配置される壁部９２１に形成される。第１置き台側スピーカ９１０Ａ及び第２置き台側スピーカ９１０Ｂそれぞれから発せられた音は、第１置き台側スピーカ孔９２０Ａ及び第２置き台側スピーカ孔９２０Ｂそれぞれから外部空間に放音される。そして、第１置き台側スピーカ９１０Ａから第１チャンネルの音が放音され、第２置き台側スピーカ９１０Ｂから第２チャンネルの音が放音されることで、所定のステレオフォニック再生の音響空間が形成される。
【００６５】
空間部９５０は、載置面９０２に形成される第１開口９５１と底面９０３に形成される第２開口９５２とをつなぐように形成される。空間部９５０は、共振管として機能する。第１開口９５１は、携帯電話機１が載置された状態における第１スピーカ孔８１０Ａに近接する位置に形成される。第２開口９５２は、底面９０３における所定の位置に形成される。ここで、第２開口９５２は外部空間に露出していれば位置は特に限定されず、側面や背面に形成されていてもよい。そして、載置部９０１に携帯電話機１が載置された状態で楽曲が再生された場合、第１スピーカ８００Ａから発せられた音声が第１スピーカ孔８１０Ａから放音され、この放音された音声が第１開口９５１を介して空間部９５０に伝搬される。空間部９５０に伝搬された音声は、共振しながら第２開口９５３から外部空間に放音される。
【００６６】
続けて、図１１により、音響システムＳ１の構成について説明する。図１１は、音響システムＳ１の構成を説明するブロック図を示す。図１１に示すように、音響システムＳ１は、携帯電話機１と置き台９００とを有する。
【００６７】
携帯電話機１は、操作キー群１１、３３と、ＣＰＵ８２１と、記憶手段としてのメモリ８２３と、変換手段としてのデコーダ８２５と、検知手段及び識別手段としてのセンサ８２７と、第１音調整部８３１と、第２音調整部８３３と、切り替え部８３５と、第１スピーカ８００Ａ及び第２スピーカ８００Ｂと、外部出力手段としての音声信号出力端子１９ｃ、１９ｄと、制御データ出力端子１９ｅと、を備える。ここで、後述の通り、メモリ８２３には、音声データが記憶されると共に、複数種類の置き台に対応した周波数特性補正データとしての第１補正パラメータが記憶される。また、第２音調整部８３３には、音声信号の周波数特性を調整可能な周波数調整手段としてのイコライザ８３４が含まれる。
【００６８】
置き台９００は、水平方向に離間して配置される第１置き台側スピーカ９１０Ａ及び第２置き台側スピーカ９１０Ｂと、携帯電話機１側から出力される第２音声信号が入力される音声信号入力端子９１１ｃ、９１１ｄと、ＣＰＵ８２１から出力される制御データが入力される制御データ入力端子９１１ｅと、を備える。
【００６９】
音響システムＳ１は、携帯電話機１が置き台９００に載置された状態において、音声信号出力端子１９ｃ、１９ｄと音声信号入力端子９１１ｃ、９１１ｄとが電気的に接続されると共に、制御データ出力端子１９ｅと制御データ入力端子９１１ｅとが電気的に接続される。また、音響システムＳ１は、携帯電話機１が置き台９００に載置された状態において、図１１において図示しない充電端子１９ａと給電端子９１１ａとが電気的に接続される。以下に、各構成要素について説明する。
【００７０】
操作キー群１１、３３は、楽曲の選択や楽曲の音量を指定することが可能であると共に、再生中の楽曲の早送りや逆戻しが可能である。
【００７１】
メモリ８２３は、エンコードされた楽曲の音声データを記憶する。メモリ８２３は、ＣＰＵ８２１からの指示に基づいて、エンコードされた音声データをデコーダ８２５に出力する。また、メモリ８２３は、複数種類の置き台に対応した周波数特性補正データとしての第１補正パラメータを記憶する。第１補正パラメータは、置き台の種類を示す識別信号ごとに関連付けて記憶される。この第１補正パラメータは、ＣＰＵ８２１からの指示に基づいて、イコライザ８３４に出力される。
【００７２】
第１補正パラメータは、後述のイコライザ８３４における第１音声信号の周波数特性を補正す際に用いられる。第１補正パラメータは、第１音声信号に基づいて電子機器側発音手段としての第１スピーカ８００Ａ及び第２スピーカ８００Ｂから発せられる音の音質と、第２音声信号に基づいて置き台側発音手段としての第１置き台側スピーカ９１０Ａ及び第２置き台側スピーカ９１０Ｂから発せられる音の音質とが近似するように、具体的には略同じになるように設定される。第１補正パラメータは、例えば、第１音声信号に基づいて第１スピーカ８００Ａ及び第２スピーカ８００Ｂから発せられる音の音質と、第２音声信号に基づいて第１置き台側スピーカ９１０Ａ及び第２置き台側スピーカ９１０Ｂから発せられる音の音質とを測定し、その差分を算出して設定することができる。
【００７３】
ここで、第１補正パラメータの設定について、図１４に示すグラフにより更に説明する。図１４は、携帯電話機１側のスピーカにおける周波数特性と置き台９００側のスピーカにおける周波数特性とを示すグラフである。図１４に示す曲線Ｒは携帯電話機１から出力される音の周波数特性であり、曲線Ｓは置き台９００から出力される音の周波数特性である。第１補正パラメータとして、所定の周波数における曲線Ｓと曲線Ｔとの差分Ｔｘを設定することができる。ここで、曲線Ｓと曲線Ｔとの差分が大きい低音域を補正できるよう第１補正パラメータを設定することが好ましい。
【００７４】
メモリ８２３は、更に、第１置き台側スピーカ９１０Ａ及び第２置き台側スピーカ９１０Ｂから発せられる音の音質が好ましい音質になるよう第１音声信号の周波数特性を調整するための第２補正パラメータを記憶する。イコライザ８３４により第２補正パラメータに基づいて第１音声信号の周波数特性が調整されて第３音信号が出力される。
【００７５】
変換手段としてのデコーダ８２５は、メモリ８２３から出力された音声データを復号処理して第１音声信号に変換する。この第１音声信号は、切り替え部８３５に出力される。第１音声信号は、第１音調整部８３１又は第２音調整部８３３に出力される。第１音調整部８３１に出力された第１音声信号は、第１スピーカ８００Ａ及び第２スピーカ８００Ｂから所定の音として出力される。第２音調整部８３３に出力された第１音声信号は、イコライザ８３４により周波数特性が調整され、第２音声信号として出力される。第２音声信号は、外部出力手段としての音声信号出力端子１９ｃ、１９ｄ及び音声信号入力端子９１１ｃ、９１１ｄを介して、第１置き台側スピーカ９１０Ａ及び第２置き台側スピーカ９１０Ｂから所定の音として出力される。
【００７６】
ＣＰＵ８２１は、メモリ８２３、デコーダ８２５、切り替え部８３５、第１音調整部８３１及び第２音調整部８３３に対して所定の制御データを出力する。制御データとして、各スピーカで放音される音の大きさを設定する音量設定値のデータや、切り替え部８３５における音声データ等の出力先を指定するデータや、各スピーカにより発音される音の音域を指定する音域設定値のデータや、記憶手段としてのメモリ８２３から出力された周波数特性補正データとしての第１補正パラメータ等を例示できる。
【００７７】
ＣＰＵ８２１は、センサ８２７からの検知信号及び識別信号を受信した場合、所定の制御データを出力する。具体的には、ＣＰＵ８２１は、検知信号を受信した場合、イコライザ８３４に対して第１補正パラメータに基づいて第１音声信号における周波数特性を補正させる指示を含む制御データを出力する。更に、ＣＰＵ８２１は、検知信号を受信した場合、切り替え部８３５に対して第１音声信号の出力先を第１スピーカ８００Ａ及び第２スピーカ８００Ｂ側の第１音調整部８３１から第１置き台側スピーカ９１０Ａ及び第２置き台側スピーカ９１０Ｂ側の第２音調整部８３３に切り替える指示を含む制御データを出力する。そして、ＣＰＵ８２１は、識別信号を受信した場合、メモリ８２３に対して識別信号により特定される置き台の種類に対応した補正パラメータをイコライザ８３４に出力させる指示を含む制御データを出力する。この制御データを受信したイコライザ８３４は、メモリ８２３から出力された第１補正パラメータに基づいて、第１音声信号の周波数特性を調整する。イコライザ８３４は、第１音声信号とは異なる周波数特性である第２音声信号を出力する。この第２音声信号は、音声信号出力端子１９ｃ、１９ｄ及び音声信号入力端子９１１ｃ、９１１ｄを介して、置き台９００側に出力される。置き台側発音手段としての第１置き台側スピーカ９１０Ａ及び第２置き台側スピーカ９１０Ｂは、第２音声信号に基づいて音を発する。
【００７８】
更に、ＣＰＵ８２１は、第２音声信号に基づいて第１置き台側スピーカ９１０Ａ及び第２置き台側スピーカ９１０Ｂから音声が出力された後、メモリ８２３に対し、第２補正パラメータをイコライザ８３４に出力させる指示を含む制御データを出力する。ここで、ＣＰＵ８２１は、イコライザ８３４に対し、第２音声信号の周波数特性を所定時間かけて徐々に第３音声信号に変えさせる指示を含む制御データを出力する。これにより、第２音声信号に基づいて第１置き台側スピーカ９１０Ａ及び第２置き台側スピーカ９１０Ｂから発せられる音の音質が、第３音声信号に基づいて発せられる好ましい音質に徐々に変化する。ここで、音質が徐々に変化するとは、ＣＰＵ８２１から出力されるデータがデジタルデータであるため、音質が段階的に変化していくことをいうが、この段階の変化量が小さければ、連続的に変化していくと考えてよい。
【００７９】
切り替え部８３５は、ＣＰＵ８２１からの指示に基づいて、第１音調整部８３１及び／又は第２音調整部８３３に第１音声信号や制御データを出力する。携帯電話機１が置き台９００に載置されていない状態において、切り替え部８３５は、第１音調整部８３１に第１音声信号を出力させる。そして、携帯電話機１が置き台９００に載置された状態において、切り替え部８３５は、ＣＰＵ８２１からの指示に基づいて第２音調整部８３３に第１音声信号を出力する。具体的には、切り替え部８３５は、第１音声信号の出力先を第１スピーカ８００Ａ及び第２スピーカ８００Ｂ（携帯電話機１）側から、第１音声信号の出力先を第１置き台側スピーカ９１０Ａ及び第２置き台側スピーカ９１０Ｂ（置き台９００）側に切り替える。
【００８０】
第１音調整部８３１は、第１音声信号と制御データとに基づいて所定の音質である音を第１スピーカ８００Ａ及び第２スピーカ８００Ｂに放音させる。具体的には、音声データに基づいた楽曲を、制御データに含まれる音量設定値に基づいた音量で第１スピーカ８００Ａ及び第２スピーカ８００Ｂに放音させる。切り替え部８３５により第１音声信号が第２音調整部８３３へ出力されるよう切り替えられた場合、第１音調整部８３１は、第１スピーカ８００Ａ及び第２スピーカ８００Ｂからの放音を停止させる。
【００８１】
第２音調整部８３３は、イコライザ８３４を含んで構成される。
イコライザ８３４は、切り替え部８３５からの第１音声信号における周波数特性を調整する。具体的には、イコライザ８３４は、メモリ８２３から出力される周波数特性補正データとしての第１補正パラメータ又は第２補正パラメータに基づいて、第１音声信号の周波数特性を調整する。
【００８２】
イコライザ８３４は、第１音声信号の周波数特性を第１補正パラメータに基づいて調整して第２音声信号を出力する。具体的には、イコライザ８３４は、メモリ８２３から出力される置き台９００の種類に対応した第１補正パラメータに基づいて第１音声信号の周波数特性を調整する。詳細には、イコライザ８３４は、第１音声信号における低音域の出力が小さくなるよう周波数特性を調整する。つまり、同じ音声信号でも置き台９００側の第１置き台側スピーカ９１０Ａ及び第２置き台側スピーカ９１０Ｂが、携帯電話機１側の第１スピーカ８００Ａ及び第２スピーカ８００Ｂに比べて低音域が強く出力されるため、第２音声信号における低音域の出力を予め小さくしている。ここで、低音域とは２０Ｈｚから７００Ｈｚ、中音域とは７００Ｈｚから５ＫＨｚ、高音域とは５ＫＨｚから２０ＫＨｚをいう。もっとも、これらの数値は一例であり、各音域の範囲が上記数値と異なる場合もある。
【００８３】
また、イコライザ８３４は、第１音声信号の周波数特性を第２補正パラメータに基づいて調整して第３音声信号を出力する。具体的には、イコライザ８３４は、メモリ８２３から出力される置き台９００の種類に対応した第２補正パラメータに基づいて第１音声信号の周波数特性を調整する。ここで、イコライザ８３４は、第２音声信号から急に第３音声信号に変えるのではなく、ＣＰＵ８２１からの指示に基づいて第２音声信号から徐々に第３音声信号に変えるよう第１音声信号の周波数特性を徐々に変更する。
【００８４】
第２音調整部８３３は、第２音声信号と制御データとに基づいて所定の音質である音を第１置き台側スピーカ９１０Ａ及び第２置き台側スピーカ９１０Ｂから放音させる。この第２音声信号に基づいて第２音調整部８３３から出力されて第１置き台側スピーカ９１０Ａ及び第２置き台側スピーカ９１０Ｂから発せられる音の音質は、第１音声信号に基づいて第１音調整部８３１から出力されて第１スピーカ８００Ａ及び第２スピーカ８００Ｂから発せられる音の音質と略同じである。
【００８５】
第２音調整部８３３は、第３音声信号と制御データとに基づいて所定の音質である音を第１置き台側スピーカ９１０Ａ及び第２置き台側スピーカ９１０Ｂから放音させる。この第３音声信号に基づいて第２音調整部８３３から出力されて第１置き台側スピーカ９１０Ａ及び第２置き台側スピーカ９１０Ｂから発せられる音の音質は、好ましい音響空間を形成する音質である。ここで、上述のように、第２音声信号から第３音声信号への変更が経時的であるので、第１置き台側スピーカ９１０Ａ及び第２置き台側スピーカ９１０Ｂから発せられる音は、携帯電話機１側から発せられていた音と略同じ音質から好ましい音響空間を形成する音質に経時的に変更される。
【００８６】
センサ８２７は、携帯電話機１が置き台９００に載置されたことを検知すると共に、置き台９００の種類を識別する。
【００８７】
センサ８２７は、充電端子１９ａを介して給電端子９１１ａから所定の電力が供給されたことを検知して、携帯電話機１が置き台９００に載置されたことを検知する。センサ８２７は、携帯電話機１が置き台９００に載置されたことを検知した場合、ＣＰＵ８２１に対してその旨を知らせる検知信号を出力する。
【００８８】
また、センサ８２７は、制御データにおける携帯電話機１側と置き台９００との電圧差を検出することで置き台９００の種類を識別する。センサ８２７は、置き台９００の種類を識別した場合、置き台９００の種類を示す識別信号をＣＰＵ８２１に出力する。
【００８９】
続けて、図１２及び図１３により、音響システムＳ１の動作について説明する。図１２は、音響システムＳ１における各態様を説明する正面図を示す。図１３は、音響システムＳ１の動作における一態様を説明するフロー図を示す。
【００９０】
まず、図２に示す状態で、操作キー群１１によりディスプレイ３０に表示される楽曲リストから所定の楽曲を選択して再生を指示する（ＳＴ１）。これにより、第１音声信号に基づいて第１スピーカ８００Ａ及び第２スピーカ８００Ｂから所定の音質で楽曲が放音される（ＳＴ２）。
【００９１】
次いで、携帯電話機１を図５及び図１２（ａ）に示す第１閉状態になるよう折り畳んだ状態で第１スピーカ８００Ａ及び第２スピーカ８００Ｂからの放音を継続する（ＳＴ３）。具体的には、第１スピーカ８００Ａと第２スピーカ８００Ｂとをつなぐ直線ＺＡを該直線ＺＡと平行な所定の平面Ｐ（図１２（ａ）（ｂ）における正面と平行な面）に投影した第１直線Ｚ１が水平方向ＺＸに平行になるような状態で再生を継続する。この状態において、第１スピーカ８００Ａから発せられる第１チャンネルの音は第１スピーカ孔８１０Ａから外部に放音され、第２スピーカ８００Ｂからの第２チャンネルの音は第２スピーカ孔８１０Ｂから外部に放音され、ステレオフォニック再生としての音響空間が形成される。
【００９２】
続いて、図１２（ｂ）に示すように、携帯電話機１を第１直線が垂直方向ＺＹに平行になるよう横向きにして置き台９００に載置する（ＳＴ４）。このように携帯電話機１が置き台９００に載置された状態において、第１直線Ｚ１は直線ＺＢを平面Ｐに投影した第２直線Ｚ２と直交する。
【００９３】
携帯電話機１が置き台９００に載置されることで、充電端子群１９と給電端子群９１１とが電気的に接続される（ＳＴ５）。そして、センサ８２７は、携帯電話機１が置き台９００に載置されたことを検知すると共に、置き台９００の種類を識別する（ＳＴ６）。センサ８２７は、ＣＰＵ８２１に対して、検知信号と識別信号とを出力する。
【００９４】
ＣＰＵ８２１は、切り替え部８３５に第１音声信号の出力先を第１音調整部８３１から第２音調整部８３３に切り替えるよう指示する（ＳＴ７）。
【００９５】
また、ＣＰＵ８２１は、メモリ８２３に対し第１補正パラメータをイコライザ８３４に出力することを指示する（ＳＴ８）。具体的には、ＣＰＵ８２１は、識別信号により特定される置き台９００の種類に対応した第１補正パラメータをイコライザ８３４に出力することを指示する。
【００９６】
また、ＣＰＵ８２１は、イコライザ８３４に対して第１補正パラメータに基づいて第１音声信号の周波数特性を調整するよう指示する（ＳＴ９）。つまり、ＣＰＵ８２１は、イコライザ８３４に対して第１パラメータに基づいて第１音声信号の周波数特性を調整して第２音声信号を出力することを指示する。
【００９７】
切り替え部８３５は、第１音声信号の出力先を第１音調整部８３１から第２音調整部８３３に切り替える（ＳＴ１０）。そして、第２音調整部８３３に含まれるイコライザ８３４は、第１補正パラメータに基づいて第１音声信号の周波数特性を補正して第２音声信号を出力する（ＳＴ１１）。
【００９８】
この第２音声信号における右用信号が音声信号出力端子１９ｃと音声信号入力端子９１１ｃとを介して第１置き台側スピーカ９１０Ａに入力される。また、この第２音声信号における左用信号が音声信号出力端子１９ｄと音声信号入力端子９１１ｄとを介して第２置き台側スピーカ９１０Ｂに入力される。そして、第１置き台側スピーカ９１０Ｂ、第２音声信号に基づいて放音する（ＳＴ１２）。ここで、第１置き台側スピーカ９１０Ｂにより第２音声信号に基づいて放音される音の音質は、第１スピーカ８００Ａ及び第２スピーカ８００Ｂにより第１音声信号に基づいて放音される音の音質と略同じである。これにより、ユーザ等の聴者が音質の変化による違和感を感じることなく音声の出力を携帯電話機１側から置き台９００側に切り替えることができる。
【００９９】
ＣＰＵ８２１は、メモリ８２３に対し第２補正パラメータをイコライザ８３４に出力することを指示する（ＳＴ１３）。具体的には、ＣＰＵ８２１は、識別信号により特定される置き台９００の種類に対応した第２補正パラメータをイコライザ８３４に出力することを指示する。
【０１００】
また、ＣＰＵ８２１は、イコライザ８３４に対して第１補正パラメータによる周波数特性の調整から第２補正パラメータによる周波数特性の調整への変更を経時的に行うよう指示する（ＳＴ１４）。つまり、ＣＰＵ８２１は、イコライザ８３４に対して該イコライザ８３４から出力される音声信号を第２音声信号から第３音声信号に変更するよう指示すると共に、第２音声信号から第３音声信号への変更を経時的に行うよう指示する。
【０１０１】
これにより、第１置き台側スピーカ９１０Ａ及び第２置き台側スピーカ９１０Ｂから放音される音の音質が経時的に変化する（ＳＴ１５）。そして、所定時間経過後、第１置き台側スピーカ９１０Ａ及び第２置き台側スピーカ９１０Ｂは、第３音声信号に基づいて好適な音響空間を形成する音質の音で構成される楽曲を放音する。
【０１０２】
本実施形態によれば、携帯電話機１側から置き台９００側に発音を切り替える場合において、携帯電話機１側の第１スピーカ８００Ａ及び第２スピーカ８００Ｂから発せられる音の音と、置き台９００側の第１置き台側スピーカ９１０Ａ及び第２置き台側スピーカ９１０Ｂから放音される音の音質とを近似させることができるので、ユーザ等の聴者に違和感を感じさせることなく携帯電話機１側から置き台９００側に発音の切り替えをすることができる。
【０１０３】
また、本実施形態によれば、ユーザ等の聴者に違和感を感じさせることなく携帯電話機１側から置き台９００側に発音を切り替えた後、置き台９００側の第１置き台側スピーカ９１０Ａ及び第２置き台側スピーカ９１０Ｂから発せられる音の音質を好ましい音響空間を形成することができる音質に変えることができる。ここで、この音質の変更を経時的、すなわち段階的又は連続的に行うことができるので、ユーザ等の聴者に違和感を感じさせることなく好適な音響空間を形成することができる。つまり、本実施形態によれば、ユーザ等の聴者に違和感を感じさせることなく携帯電話機１側から置き台９００側に発音を切り替えると共に、好ましい音響空間を形成することができる。
【０１０４】
以上、本形態の好適な実施形態について説明したが、本発明は上述した実施形態に限定されることなく種々の形態で実施することができる。本実施形態において、メモリ８２３はセンサ８２７からの識別信号により特定される置き台９００の種類に対応した第１補正パラメータを出力するが、これに限定されず、携帯電話機１が載置可能な置き台９００が１種類である場合には、携帯電話機１が載置された場合に自動的に第１補正パラメータを出力するように構成してもよい。
【０１０５】
また、本実施形態において、第１補正パラメータ及び第２補正パラメータは、メモリ８２３に記憶されているが、これに限定されず、置き台９００側に記憶されていてもよい。この第１補正パラメータ及び第２補正パラメータは、メモリ８２３に予め記憶されているとしてもよいし、外部記憶媒体から読み取ったり、ネットワーク上からダウンロードしてメモリ８２３に記憶するとしてもよい。そして、携帯電話機１が置き台９００に載置された場合、第１補正パラメータが置き台９００側から携帯電話機１側のイコライザ８３４に出力されるよう構成されてもよい。
【０１０６】
また、本実施形態において、携帯電話機１が載置された場合には、第１音声信号の出力先を第１音調整部８３１から第２音調整部８３３に変更するが、これに限定されず、第１音声信号の出力先を第１音調整部８３１と第２音調整部８３３との双方になる期間を有するようにして切り替えてもよい。この期間においても、第１音声信号に基づいて携帯電話機１側の第１スピーカ８００Ａ及び第２スピーカ８００Ｂから発せられる音の音質と、第２音声信号に基づいて置き台９００側の第１置き台側スピーカ９１０Ａ及び第２置き台側スピーカ９１０Ｂから放音される音の音質とが近似するので、ユーザ等の聴者に違和感を感じさせることを抑制できる。
【０１０７】
また、本実施形態において、周波数調整手段としてイコライザを用いているが、これに限定されず、音声信号の周波数特性を調整できる他の装置やプログラムを用いてもよい。
【図面の簡単な説明】
【０１０８】
【図１】音響システムＳ１の斜視図を示す。
【図２】携帯電話機１を開いた状態（第１開状態）における正面図を示す。
【図３】（Ａ）携帯電話機１を開いた状態における左側面図を示し、（Ｂ）携帯電話機１を開いた状態における右側面図を示す。
【図４】携帯電話機１を開いた状態における背面図を示す。
【図５】図１に示される状態から携帯電話機１の表示部側筐体３を連結部４の開閉軸Ｘを中心に折り畳んだ状態における正面図を示す。
【図６】図１に示される状態から携帯電話機１の表示部側筐体３を、連結部４の回動軸Ｙを中心にして所定角度回動した状態の斜視図を示す。
【図７】図５に示される状態から表示部側筐体３を回動軸Ｙを中心に１８０度回転させた状態の斜視図を示す。
【図８】操作部側筐体２の分解斜視図を示す。
【図９】表示部側筐体３及び連結部４の部分分解図を示す。
【図１０】置き台９００の正面図を示す。
【図１１】音響システムＳ１の構成を説明するブロック図を示す。
【図１２】音響システムＳ１における各態様を説明する正面図を示す。
【図１３】音響システムＳ１の動作における一態様を説明するフロー図を示す。
【図１４】携帯電話機１側のスピーカにおける周波数特性と置き台９００側のスピーカにおける周波数特性とを示すグラフである。
【符号の説明】
【０１０９】
Ｓ１      音響システム
１        携帯電話機
２        操作部側筐体
３        表示部側筐体
１１      操作キー群
１９      充電端子群
８００Ａ  第１スピーカ
８００Ｂ  第２スピーカ
８２１    ＣＰＵ
８２３    メモリ
８２５    デコーダ
８２７    センサ
８３１    第１音調整部
８３３    第２音調整部
８３４    イコライザ
９００    置き台
９１０Ａ  第１置き台側スピーカ
９１０Ｂ  第２置き台側スピーカ
【図１】
2008301031.tif 000003
【図２】
2008301031.tif 000004
【図３】
2008301031.tif 000005
【図４】
2008301031.tif 000006
【図５】
2008301031.tif 000007
【図６】
2008301031.tif 000008
【図７】
2008301031.tif 000009
【図８】
2008301031.tif 000010
【図９】
2008301031.tif 000011
【図１０】
2008301031.tif 000012
【図１１】
2008301031.tif 000013
【図１２】
2008301031.tif 000014
【図１３】
2008301031.tif 000015
【図１４】
2008301031.tif 000016